(57)【要約】      （修正有）【課題】受信機に設けた操作部や表示部に依存することなく、携帯端末を使用して簡単且つ確実に受信機の設定情報や試験に関する遠隔的な処理操作を可能とする防災監視設備を提供する。【解決手段】Ｐ型受信機１０に設けた制御部２２のＵＳＢポート３６に無線ＬＡＮアダプタ３８を接続して携帯端末１２との間を無線ＬＡＮ回線により通信接続可能とする。携帯端末１２は、無線ＬＡＮアダプタ３８との通信接続を介して制御部２２に所定処理、例えば設定情報の登録、変更、確認や操作部３０、表示部２８、警報部３２、移報部３４等の試験を指示して動作させ、動作結果を表示する。【選択図】図２
2018173988.tif 000002
【特許請求の範囲】
【請求項１】
複数の監視領域に設置した火災感知器からの火災信号を、当該複数の監視領域に対応した回線毎に受信機で受信して警報する防災監視設備に於いて、
前記受信機に設けた制御部の入出力ポートに接続されて外部機器との間を無線回線により通信接続する無線通信アダプタと、
前記無線通信アダプタとの通信接続を介して前記受信機の制御部に所定処理を指示して動作させると共に動作結果を受信して表示する処理手段を備えた携帯端末と、
を備え、
前記受信機の制御部は、前記回線毎に、回線種別を含めた回線毎の設定情報である入力回線設定情報を記憶しており、
前記携帯端末は、前記受信機の入力回線設定情報を変更する場合に、登録要求信号及び回線種別を前記受信機の制御部に送信し、前記受信機の制御部から前記回線種別の入力回線設定情報及び回線状態を受信した場合に、当該入力回線設定情報及び回線状態を表示し、
前記受信機の制御部は、更に、前記携帯端末の処理手段から前記登録要求信号及び回線種別を受信した場合に、前記入力回線設定情報のうち前記受信した回線種別に対応する前記回線種別の入力回線設定情報と、前記受信した回線種別に対応する回線状態と、を前記携帯端末に送信し、前記携帯端末で変更した入力回線設定情報を前記記憶している入力回線設定情報に反映させることを特徴とする防災監視設備。
【請求項２】
監視領域に設置した複数の火災感知器からの火災信号を受信機で受信し、当該火災信号を出力した火災感知器を特定して警報する防災監視設備に於いて、
前記受信機に設けた制御部の入出力ポートに接続されて外部機器との間を無線回線により通信接続する無線通信アダプタと、
前記無線通信アダプタとの通信接続を介して前記受信機の制御部に所定処理を指示して動作させると共に動作結果を受信して表示する処理手段を備えた携帯端末と、
を備え、
前記受信機の制御部は、前記火災感知器を含む機器毎に、回線系統を含めた機器毎の設定情報である端末機器設定情報を記憶しており、
前記携帯端末は、前記受信機の端末機器設定情報を変更する場合に、登録要求信号及び回線系統を前記受信機の制御部に送信し、前記受信機の制御部から前記回線系統の端末機器設定情報及び機器状態を受信した場合に、当該端末機器設定情報及び機器状態を表示し、
前記受信機の制御部は、更に、前記携帯端末の処理手段から前記登録要求信号及び回線系統を受信した場合に、前記端末機器設定情報のうち前記受信した回線系統に対応する前記回線系統の端末機器設定情報と、前記受信した回線系統に対応する機器状態と、を前記携帯端末に送信し、前記携帯端末で変更した端末機器設定情報を前記記憶している端末機器設定情報に反映させることを特徴とする防災監視設備。
【発明の詳細な説明】
【技術分野】
【０００１】
本発明は、火災感知器からの火災信号を受信機で受信して警報する防災監視設備に関する。
【背景技術】
【０００２】
従来、例えばＰ型として知られた受信機から引き出された感知器回線にオンオフ型の感知器を接続して回線単位で火災を監視して警報する防災監視設備にあっては、メモリに登録された回線種別情報、空回線情報、個別蓄積解除情報等の各種の設定情報に基づいて、火災等の異常監視や外部機器への移報制御等を行う。
【０００３】
また、Ｒ型として知られた受信機から引き出された伝送回線にアドレスを設定したアナログ感知器を接続し、端末単位に火災を監視して警報する防災監視設備にあっては、メモリに登録されたアドレスに対応した端末機器の設定情報に基づいて、火災等の異常監視や外部機器への移報制御等を行う。
【０００４】
この各種の設定情報の登録、変更、確認は、受信機に登録モードを設定し、この登録モードの設定状態で、盤前面又は盤内に設けられる操作部のスイッチ群及び表示部の表示灯群等を使用して行っている。
【０００５】
また防災監視設備の運用中にあっては、定期的に保守点検を行っており、保守点検の際には、受信機に保守点検モードを設定し、この保守点検モードの設定状態で、受信機、火災感知器、発信機、地区表示器等の試験を行うことで設備が正常に機能することを確認している。
【先行技術文献】
【特許文献】
【０００６】
【特許文献１】特開平９−０９７３９０号公報
【特許文献２】特開平１０−１９８８７４号公報
【特許文献３】特開２００８−０６５８４６号公報
【特許文献４】米国特許出願公開第２０１２／０１５４１４１号明細書
【発明の概要】
【発明が解決しようとする課題】
【０００７】
しかしながら、このような従来の防災監視設備における受信機の設定情報の登録、変更、確認にあっては、盤前面又は盤内の操作部及び表示部を使用して行っているが、回線数が例えば５０回線を越えるような受信機にあっては、操作部のスイッチ群や表示部の表示灯を使用しながら登録、変更、確認を行う作業が煩雑であり、間違える可能性もあった。
【０００８】
また、保守点検における受信機の試験についても、操作部のスイッチ群及び表示部の表示灯群等を使用しながら行う作業が煩雑であり、試験操作を誤ったり、必要とする試験項目が抜け落ちたりする可能性があった。
【０００９】
本発明は、受信機に設けた操作部や表示部に依存することなく、携帯端末を使用して簡単且つ確実に受信機の設定情報や試験に関する遠隔的な処理操作を可能とする防災監視設備を提供することを目的とする。
【課題を解決するための手段】
【００１０】
（防災監視設備）
本発明は、複数の監視領域に設置した火災感知器からの火災信号を、当該複数の監視領域に対応した回線毎に受信機で受信して警報する防災監視設備に於いて、
受信機に設けた制御部の入出力ポートに接続されて外部機器との間を無線回線により通信接続する無線通信アダプタと、
無線通信アダプタとの通信接続を介して受信機の制御部に所定処理を指示して動作させると共に動作結果を受信して表示する処理手段を備えた携帯電話端末と、
を備え、
受信機の制御部は、回線毎に、回線種別を含めた回線毎の設定情報である入力回線設定情報を記憶しており、
携帯端末は、受信機の入力回線設定情報を変更する場合に、登録要求信号及び回線種別を受信機の制御部に送信し、受信機の制御部から回線種別の入力回線設定情報及び回線状態を受信した場合に、当該入力回線設定情報及び回線状態を表示し、
受信機の制御部は、更に、携帯端末の処理手段から登録要求信号及び回線種別を受信した場合に、入力回線設定情報のうち受信した回線種別に対応する回線種別の入力回線設定情報と、受信した回線種別に対応する回線状態と、を携帯端末に送信し、携帯端末で変更した入力回線設定情報を記憶している入力回線設定情報に反映させることを特徴とする。
【００１１】
本発明は、監視領域に設置した複数の火災感知器からの火災信号を受信機で受信し、当該火災信号を出力した火災感知器を特定して警報する防災監視設備に於いて、
受信機に設けた制御部の入出力ポートに接続されて外部機器との間を無線回線により通信接続する無線通信アダプタと、
無線通信アダプタとの通信接続を介して受信機の制御部に所定処理を指示して動作させると共に動作結果を受信して表示する処理手段を備えた携帯電話端末と、
を備え、
受信機の制御部は、火災感知器を含む機器毎に、回線系統を含めた機器毎の設定情報である端末機器設定情報を記憶しており、
携帯端末は、受信機の端末機器設定情報を変更する場合に、登録要求信号及び回線系統を受信機の制御部に送信し、受信機の制御部から回線系統の端末機器設定情報及び機器状態を受信した場合に、当該端末機器設定情報及び機器状態を表示し、
受信機の制御部は、更に、携帯端末の処理手段から登録要求信号及び回線系統を受信した場合に、端末機器設定情報のうち受信した回線系統に対応する回線系統の端末機器設定情報と、受信した回線系統に対応する機器状態と、を携帯端末に送信し、携帯端末で変更した端末機器設定情報を記憶している端末機器設定情報に反映させることを特徴とする。
【発明の効果】
【００１２】
（基本的な効果）
本発明の防災監視設備は、受信機に設けた制御部の入出力ポート、例えば汎用シリアルパスポート（ＵＳＢポート)に無線通信アダプタを接続して外部機器との間を無線回線により通信接続可能とし、携帯端末、例えば携帯電話端末の処理手段により、無線通信アダプタとの通信接続を介して受信機制御部に所定処理を指示して動作させると共に動作結果を受信して表示するようにしたため、携帯端末の処理手段による操作で、防災監視設備に設けた受信機に対し必要とする指示や制御を遠隔的に行うことが可能となり、受信機に設けている操作部や表示部の機能に依存したり、制約を受けたりすることなく、受信機に対し必要とする指示や制御を可能とする。
【００１３】
（設定情報の処理による効果）
また、携帯端末の処理手段は、受信機の制御部に、所定の認証処理に基づき監視モードから登録モードへの切替えを指示して遷移させた後に、設定情報の登録、変更又は確認を指示して動作させると共に処理結果を表示するようにしたため、例えば受信機のメモリに予め登録している回線設定情報の登録、変更、確認等を、携帯端末にアプリケーションプログラムとして実装した処理手段の操作により簡単且つ確実に行うことを可能とする。
【００１４】
また、設定情報の操作については、パスワードやＩＤを使用した認証処理に基づく登録モードへの変更を前提に可能とすることから、関係者以外の第三者による不正な操作を未然に防止可能とする。
【００１５】
（受信機試験による効果）
また、携帯端末の処理手段は、受信機の制御部に、所定の認証処理に基づき監視モードから保守点検モードへの切替えを指示して遷移させた後に、火災信号の受信に伴う受信機の試験、受信機に設けている操作部、表示部、警報部及び又は移報部の試験、受信機に接続している端末機器の試験等を指示して動作させると共に試験結果を受信して表示するようにしたため、携帯端末にアプリケーションプログラムとして実装した処理手段の操作により簡単且つ確実に受信機を中心とした防災監視設備の試験を遠隔的に行うことを可能とする。
【図面の簡単な説明】
【００１６】
【図１】Ｐ型受信機を設けた防災監視設備の概略を示した説明図
【図２】Ｐ型受信機の機能構成の概略を示したブロック図
【図３】Ｐ型受信機のメモリに登録している入力回線設定情報と出力回線設定情報を示した説明図
【図４】Ｐ型受信機のメモリに登録している操作部設定情報と表示部設定情報を示した説明図
【図５】携帯電話端末の機能構成の概略を示した説明図
【図６】携帯電話端末の認証画面とメニュー画面を示した説明図
【図７】携帯電話端末のデータ設定画面と保守点検画面を示した説明図
【図８】携帯電話端末の個別試験画面を示した説明図
【図９】携帯電話端末による遠隔制御を示したフローチャート
【図１０】Ｐ型受信機の受信制御を示したフローチャート
【図１１】Ｒ型受信機を設けた防災監視設備の概略を示した説明図
【図１２】Ｒ型受信機の機能構成の概略を示したブロック図
【図１３】Ｒ型受信機のメモリに登録している端末機器設定情報を示した説明図
【発明を実施するための形態】
【００１７】
［Ｐ型受信機を用いた防災監視設備］
（防災監視設備の概要）
図１はＰ型受信機を設けた防災監視設備の概略を示した説明図である。図１に示すように、Ｐ型受信機１０は建物の防災センタや管理人室等に設置されており、Ｐ型受信機１０から監視領域に対し火報回線Ｌ０１〜Ｌ１０、防排煙回線ＤＬ１１〜ＤＬ１８、制御回線Ｄ１１〜Ｄ１８、更に図示しない警報回線を引き出している。
【００１８】
火報回線Ｌ０１〜Ｌ１０は、火報回線Ｌ１に代表して示すように、オンオフ感知器１４や発信機１６等を接続している。
【００１９】
防排煙回線ＤＬ１１〜ＤＬ１８は、防排煙回線ＤＬ１１に代表して示すように、防排煙用感知器１８を接続している。制御回線Ｄ１１〜Ｄ１８は、制御回線Ｄ１１に代表して示すように、防火戸２０を接続している。なお、防火戸２０は自動開放装置（ラッチレリーズ装置）により閉鎖位置に保持されており、制御回線Ｄ１１は防火戸２０の自動開放装置を接続している。
【００２０】
またＰ型受信機１０には無線通信アダプタとして機能する無線ＬＡＮアダプタが内蔵されており、そのアンテナ１５と関係者が保有している携帯端末、例えばスマートフォンとして知られた携帯電話端末１２との間で無線ＬＡＮ回線による通信接続を可能としている。ここで、スマートフォン等を用いた携帯電話端末１２は、無線ＬＡＮのアクセスポイントとして機能する無線ＬＡＮ通信機能（例えばデザリング機能）を備えており、無線ルータを経由せず、Ｐ型受信機１０に設けた無線通信アダプタとの間で無線ＬＡＮによる通信接続を可能とする。
【００２１】
（Ｐ型受信機の機能構成）
図２はＰ型受信機の機能構成の概略を示したブロック図である。図２に示すように、Ｐ型受信機１０は、制御部２２を備え、制御部２２は、ＣＰＵ、メモリ、各種の入出力ポートを備えたコンピュータ回路で構成している。制御部２２に対しては、回線受信部２４、回線制御部２６、表示部２８、操作部３０、警報部３２、移報部３４を設け、更に、制御部２２は入出力ポートとして例えば汎用シリアルバスポートとなるＵＳＢポート３６を備え、ＵＳＢポート３６にアンテナ１５を備えた無線ＬＡＮアダプタ３８を接続している。
【００２２】
回線受信部２４は火報回線Ｌ０１〜Ｌ１０及び防排煙回線ＤＬ１１〜ＤＬ１８に対応して設けており、それぞれに接続した図１に示すオンオフ感知器１４や防排煙用感知器１８に対し直流電源を供給して動作させると共に、オンオフ感知器１４又は防排煙用感知器１８が火災を検知して動作した場合に流れる発報電流を回線受信部２４で火災信号として受信する。
【００２３】
回線制御部２６は制御回線Ｄ１１〜Ｄ１８に対応して設けており、それぞれに接続した図１に示す防火戸２０に制御信号を出力し、防火戸２０の閉鎖状態でのラッチを解除して開放動作させるようにしている。
【００２４】
表示部２８は盤前面や盤内に設けた各種の表示灯や表示器を備えている。例えば表示部２８には、感知器からの火災信号の受信を表示する火災代表灯、防排煙用感知器からの火災信号の受信を表示する防排煙代表灯、交流電源の供給を表示する交流電源灯、予備電源への切替えを表示する予備電源灯、障害検知を表示する障害代表灯、定位にないスイッチがあることを表示するスイッチ注意灯、火報回線Ｌ０１〜Ｌ１０に対応した地区の火災を表示する地区表示灯、火災信号を受信して蓄積中にあることを表示する蓄積中灯、発信機からの発信信号の受信を示す発信機灯、非常放送中を表示する非常放送中灯、非常電話の通話接続を表示する電話灯等を設けている。
【００２５】
また、表示部２８には、これ以外に、スイッチ操作無効中灯、地区音響一時停止灯、主音響停止灯、移報停止灯、試験復旧灯、付属音響停止灯、障害音響停止灯、蓄積解除灯、自己診断灯、地区音響一斉鳴動灯等を設けている。
【００２６】
操作部３０は盤前面や盤内に設けた各種の操作スイッチを備えている。例えば操作部３０には、火災断定スイッチ、地区音響一時停止スイッチ、復旧スイッチ、音声案内スイッチ、非常放送連動停止スイッチ、主音響停止スイッチ、付属音響停止スイッチ、障害音響停止スイッチ、試験復旧スイッチ、火災試験スイッチ、自己診断スイッチ、予備電源試験スイッチ、地区音響一斉鳴動スイッチ、蓄積解除スイッチ等を設けている。
【００２７】
警報部３２には音響警報や音声案内を行うスピーカやブザー等を設けている。移報部３４には、外部接続する例えば表示盤等に火災代表移報信号や回線移報信号を出力する無電圧リレー接点を用いた移報回路を設けている。
【００２８】
（受信制御部のＵＳＢポートと無線ＬＡＮアダプタ)
制御部２２の基板に実装したＣＰＵからはＵＳＢとして知られた汎用シリアルバス（Ｕｎｉｖｅｒｓａｌ  Ｓｅｒｉａｌ  Ｂｕｓ）が引き出され、この汎用シリアルバスにＵＳＢコネクタによるＵＳＢポート３６を１又は複数設けており、その内の１つに無線ＬＡＮアダプタ３８を接続している。
【００２９】
無線ＬＡＮアダプタ３８は、インタフェース変換アダプタとして機能し、ＵＳＢ通信プロトコルに従った信号と無線ＬＡＮ通信プロトコルに従った信号との間の変換を行う。例えば無線ＬＡＮアダプタ３８は、ＵＳＢ２．０又はＵＳＢ３．０の標準規格に従った信号とイーサネット（登録商標）による無線ネットワークをベースにしたＩＥＥＥ８０２．１１に準拠した無線ＬＡＮ通信による信号との間の変換を行う。この無線ＬＡＮ通信において、無線ＬＡＮアダプタ３８は無線ＬＡＮのステーションとして機能し、アクセスポイントとして機能する携帯電話端末１２との間の通信接続を確立してパケット信号を通信する。
【００３０】
無線ＬＡＮアダプタ３８としては、ＵＳＢポート３６に差し込んで使用するＷｉＦｉ（登録商標）ドングルとして知られた小型のインタフェース変換デバイスを使用することができる。
【００３１】
このように制御部２２のＵＳＢポート３６に無線ＬＡＮ通信アダプタ３８を接続することで、Ｐ型受信機１０の外部機器となる無線ＬＡＮ通信機能を備えた例えば携帯電話端末１２との通信接続を可能とする。
【００３２】
ここで、ＵＳＢポート３６に無線ＬＡＮアダプタ３８として機能する例えばＷｉＦｉ（Ｒ）ドングルを直接差し込んでいるが、Ｐ型受信機のメモリに記憶した設定情報の操作や保守点検はＰ型受信機１０の盤前面を構成する前扉を開いて行うことから、無線ＬＡＮアダプタ３８のアンテナ１５が盤内にあっても外部の携帯電話端末１２との通信接続が可能である。
【００３３】
また、受信機の前扉を開けずに設定情報の操作や試験指示を外部の携帯電話端末１２から行うことを可能とするため、ＵＳＢコネクタケーブルの一方のコネクタを制御部２２のＵＳＢポート３６に接続し、他方のコネクタの差込口を受信機の盤前面に露出して設け、ここにＷｉＦｉ（Ｒ）ドングルを直接差し込んでアンテナ１５を外部露出させることで、外部の携帯電話端末１２との通信接続をより確実なものとしても良い。
【００３４】
（受信機の制御部）
Ｐ型受信機１０の制御部２２は、火災監視モードの設定状態で機能し、オンオフ感知器１４からの火災信号を受信して火災警報を出力する制御等を行う。
【００３５】
また、制御部２２は、携帯電話端末１２からの指示に基づき、所定の認証処理を経て火災監視モードから登録モードへ遷移した後に、設定情報の登録、変更又は確認を行って処理結果を携帯電話端末１２へ通知する制御を行う。
【００３６】
また、制御部２２は、携帯電話端末１２からの指示に基づき、所定の認証処理を経て火災監視モードから登録モードへ遷移した後に、火災信号の受信に伴う受信機の試験、Ｐ型受信機１０に設けている操作部２８、表示部３０、警報部３２及び又は移報部３４の試験、Ｐ型受信機１０に接続している表示盤等の端末機器の試験を行って試験結果を携帯電話端末１２に通知する制御を行う。
【００３７】
（受信機の回線設定情報）
図３はＰ型受信機１０のメモリに登録している設定情報を示した説明図であり、図３（Ａ）は入力回線設定情報を示し、図３（Ｂ）は出力回線設定情報を示す。
【００３８】
図３において、入力回線設定情報４６及び出力回線設定情報４８は、Ｐ型受信機の製造段階で対象となる防災監視設備の構成に基づき設計支援コンピュータシステム等を使用して例えばエクセルシートとして作成し、専用のデータ設定装置を使用してＰ型受信機１０の制御部２２に設けたメモリに格納している。
【００３９】
入力回線設定情報４６は、回線番号、回線種別、蓄積設定、空き回線及び回線状態等の項目で構成し、図１に示した防災監視設備の場合、回線番号Ｌ０１〜Ｌ１０を火報回線とし、回線番号Ｌ０１，Ｌ０２については例えば厨房等の誤報の出やすい場所に敷設していることから蓄積を設定し、更に、回線番号Ｌ０９，Ｌ１０は未接続の空き回線とし、増設を可能としている。回線の状態は現時点で火災信号の受信による「回線発報」か火災信号の受信のない「非発報」かの状態を設定している。この回線状態の項目については、受信機試験の際に外部から「回線発報」を書き込むことが可能であり、これにより疑似的な回線発報を生成して受信機の試験動作を可能とする。
【００４０】
この点は回線番号ＤＬ１１〜ＤＬ１８の防排煙回線及び回線番号Ｓ１９，Ｓ２０の警報回線についても同様である。
【００４１】
また、出力回線設定情報４８は、回線番号、回線種別、空き回線及び回線状態等の項目で構成し、図１に示した防災監視設備の場合、回線番号Ｄ１１〜Ｄ１８を防排煙用の制御回線とし、回線番号ＥＡ１９，ＥＡ２０については移報回線とし、更に、回線番号Ｄ１７，Ｄ１８，ＥＡ２０は空き回線とし、増設を可能としている。回線状態は現時点で制御回線に対する制御出力又は制御出力停止の状態を設定している。
【００４２】
（受信機各部の設定情報）
図４はＰ型受信機のメモリに登録している受信機各部の設定情報を示した説明図であり、図４（Ａ）は操作部設定情報を示し、図４（Ｂ）は表示部設定情報を示す。
【００４３】
図４に示すように、操作部設定情報５０は操作部３０に設けた操作スイッチ群を示す設定情報であり、スイッチ名、スイッチ状態及び定位設定等の項目で構成し、例えば火災断定スイッチ、地区音響一時停止スイッチ、復旧スイッチ、音声案内スイッチ、非常放送連動停止スイッチ、主音響停止スイッチ、付属音響停止スイッチ、障害音響停止スイッチ、試験復旧スイッチ、火災試験スイッチ、自己診断スイッチ、予備電源試験スイッチ、地区音響一斉鳴動スイッチ、蓄積解除スイッチを登録している。スイッチ状態は、音声案内スイッチのみがオンであり、それ以外のスイッチは全てオフとしている。また、定位設定は、図示のスイッチ状態を全て定位に設定している。
【００４４】
表示部設定情報５２は、表示部２８に設けた表示灯群を示す設定情報であり、名称及び状態等の項目で構成し、例えば火災代表灯、防排煙代表灯、交流電源灯、予備電源灯、障害代表灯、スイッチ注意灯、地区表示灯、蓄積中灯、発信機灯、非常放送中灯、電話灯、スイッチ操作無効中灯、地区音響一時停止灯、主音響停止灯、移報停止灯、試験復旧灯、付属音停止灯、障害音響停止灯、蓄積解除灯、自己診断灯、地区音響一斉鳴動灯を登録している。表示状態は、例えば通常の監視状態では、交流電源灯のみが点灯となり、それ以外の表示灯は消灯している。
【００４５】
表示部設定情報５２の状態は、そのときの表示状態を示しているが、受信機試験の際には、外部から表示状態を書き込むことで、表示動作を試験的に行うことを可能とする。
【００４６】
［携帯電話端末］
（携帯電話機の機能構成）
図５は携帯電話端末の機能構成の概略を示した説明図であり、個人用の携帯コンピュータの機能を併せもつ携帯電話端末として知られたスマートフォンを例にとっている。
【００４７】
図５において、携帯電話端末１２は、制御部６０、携帯電話通信部６２、無線ＬＡＮ通信部６４、高速移動通信部６６、ＧＰＳ通信部（全地球測位システム通信部）６８、カメラ部７０、ＳＩＭカード７２、ディスプレイ７４、タッチパネル７６、音声入出力部７８、ＵＳＢ端子部８０、操作部８２及びメモリカード８４等を備える。
【００４８】
制御部６０は、プロセッサを構成するＣＰＵ、メモリ、各種入出力インタフェースを備えたＬＳＩで実現され、インストールされたプログラムを実行する。
【００４９】
携帯電話通信部６２は、第３世代移動通信システム（３Ｇ）として知られたＷ−ＣＤＭＡにより携帯電話通信を行う。
【００５０】
無線ＬＡＮ通信部６４は、イーサネット（登録商標）による無線ネットワークをベースにしたＩＥＥＥ８０２．１１に準拠した無線通信を行い、図２のＰ型受信機１０に設けた無線ＬＡＮアダプタ３８との間に無線ＬＡＮ回線を確立してデータ伝送を行う。このため無線ＬＡＮ通信部６４は、無線ＬＡＮのアクセスポイントとして機能する無線ＬＡＮ通信機能、例えばデザリング機能を備えている。
【００５１】
高速移動通信部６６は、ＩＥＥＥ８０２．１６ｅに準拠したモバイルＷｉＭＡＸ（Ｒ）によるモバイル高速移動通信を行う。
【００５２】
ＧＰＳ通信部６８は、米国が運用する周回衛星を使用した全地球測位システム（Ｇｌｏｂａｌ  Ｐｏｓｉｔｉｏｎｉｎｇ  Ｓｙｓｔｅｍ）を利用して、現在位置の経度と緯度を取得するための通信を行う。
【００５３】
カメラ部７０は、ＣＭＯＳ撮像素子を使用して画像の撮像を行い、静止画及び動画を取得する。
【００５４】
ＳＩＭカード７２は、携帯電話番号を識別するための番号であるＩＭＳＩ（Iｎｔｅｒｎａｔｉｏｎａｌ  Ｍｏｂｉｌｅ  Ｓｕｂｓｃｒｉｂｅｒ  Iｄｅｎｔｉｔｙ）番号を格納したカードであり、ＳＩＭカード７２の差し替えにより、複数の携帯電話端末で同じ携帯電話番号を利用可能とする。
【００５５】
ディスプレイ７４は、液晶パネルや有機ＥＬパネルなどの表示デバイスを使用し、パネル表面にはタッチパネル７６を配置している。音声入出力部７８は、マイク、スピーカ、及びオーディオコーデック（Ａｕｄｉｏ  ＣＯＤＥＣ）を備えて音声入出力を行う。
【００５６】
ＵＳＢ端子部８０は、適宜の周辺機器を接続するデジタル・インタフェースのコネクタを接続する。操作部８２は、キーパッドや操作釦による利用者の操作を受け付けて制御部６０に通知する。メモリカード８４は、着脱自在な外部メモリであり、カメラ部７０で撮像した画像等の各種データの外部記憶に使用する。
【００５７】
制御部６０は、通話接続、メール接続、インターネット接続などの通信接続及び関連する各種の制御を行う。
【００５８】
また、制御部６０は、図２に示した無線ＬＡＮアダプタ３８との通信接続を介してＰ型受信機１０の制御部２２に所定処理を指示して動作させると共に動作結果を受信して表示する処理手段としての制御を行う。
【００５９】
（無線ＬＡＮ通信部のアクセスポイント制御機能）
携帯電話端末１２に設けた無線ＬＡＮ通信部６４のアクセスポイント制御機能は次のようになる。ここで、携帯電話端末１２の無線ＬＡＮ通信部６４は無線ＬＡＮのアクセスポイントとなり、Ｐ型受信機１０の無線ＬＡＮアダプタ３８は無線ＬＡＮのステーションとなる。
【００６０】
アクセスポイントとして機能する携帯電話端末１２の無線ＬＡＮ通信部６４に通信接続するＰ型受信機１０の無線ＬＡＮアダプタ３８には、アクセスポイントの識別子であるＥＳＳ−ＩＤ（Ｅｘｔｅｎｄｅｄ  Ｓｅｒｖｉｃｅ  Ｓｅｔ  Ｉｄｅｎｔｉｆｉｅｒ）を予め設定登録しておく。これにより携帯電話端末１２の無線ＬＡＮ通信部６４は設定登録されている識別子ＥＳＳ−ＩＤの端末としか通信しないようにすることができる。
【００６１】
アクセスポイントとなる携帯電話端末１２の無線ＬＡＮ通信部６４とそのステーションとなるＰ型受信機１０の無線ＬＡＮアダプタ３８との間の通信接続を行うアクセスポイント制御機能は、パッシブスキャン方式とアクティブスキャン方式に大別される。
【００６２】
（パッシブスキャン方式）
パッシブスキャン方式は、携帯電話端末１２の無線ＬＡＮ通信部６４が定期的にブロードキャストするビーコンフレームをＰ型受信機１０の無線ＬＡＮアダプタ３８で受信し、無線ＬＡＮアダプタ３８は予め設定登録している携帯電話端末１２の無線ＬＡＮ通信部６４の識別子ＥＳＳ−ＩＤが、接続しようとしている携帯電話端末１２の無線ＬＡＮ通信部６４の識別子ＥＳＳ−ＩＤと同じかどうかを問い合わせるプローブ要求フレームを送信する。携帯電話端末１２の無線ＬＡＮ通信部６４はプローブ要求フレームにより受信した識別子ＥＳＳ−ＩＤが自己の識別子ＥＳＳ−ＩＤと同じであればプローブ応答フレームを返送し、Ｐ型受信機１０の無線ＬＡＮアダプタ３８はこれを受信して、携帯電話端末１２の無線ＬＡＮ通信部６４の識別子ＥＳＳ−ＩＤが設定登録しているものと同じ識別子であることを確認する。
【００６３】
続いてＰ型受信機１０の無線ＬＡＮアダプタ３８と携帯電話端末１２の無線ＬＡＮ通信部６４の間で、予め設定した認証方式を使って認証を行い、認証に成功すると、Ｐ型受信機１０の無線ＬＡＮアダプタ３８から携帯電話端末１２の無線ＬＡＮ通信部６４へ接続要求としてアソシエーション要求フレームを送信し、携帯電話端末１２の無線ＬＡＮ通信部６４が許可応答としてアソシエーション応答フレームを返送すると接続が完了し、パケット信号の通信を行う。
【００６４】
（アクティブスキャン方式）
アクティブスキャン方式は、Ｐ型受信機１０の無線ＬＡＮアダプタ３８で携帯電話端末１２の無線ＬＡＮ通信部６４からのビーコンフレームを一定時間にわたり受信できなかった場合に、Ｐ型受信機１０の無線ＬＡＮアダプタ３８が接続を行いたい識別子ＥＳＳ−ＩＤの情報をプローブ要求フレームにより送信し、携帯電話端末１２の無線ＬＡＮ通信部６４からプローブ応答フレームが得られれば、パッシブスキャン方式と同様に、認証、アソシエーション要求と応答に移行し、接続を完了し、パケット信号の通信を行う。
【００６５】
（受信機処理に伴う携帯電話端末の画面）
図６乃至図８は、受信機処理操作に用いる携帯電話端末の認証画面、メニュー画面、データ設定画面、保守点検画面及び個別試験画面を示した説明図である。
【００６６】
図６（Ａ）は受信機処理操作を行う場合に最初に使用する認証画面８５であり、予め利用者が受信機側に登録したユーザＩＤ８６とパスワード８８を入力してＯＫ釦を操作することで、図２の無線ＬＡＮアダプタ３８を介して制御部２２との間で通信接続を確立し、入力したユーザＩＤ８６とパスワード８８を含むＰ型受信機１０の制御部２２を宛先とするパケット信号を送信し、認証に成功すると制御部２２からの認証成功通知を含む携帯電話端末１２の制御部６０を宛先とするパケット信号を受信し、図６（Ｂ）のメニュー画面９０に切り替わる。このような認証処理により、ユーザＩＤとパスワードを登録した利用者のみによる受信機の処理操作を可能とし、部外者による不正な処理操作を抑止する。
【００６７】
なお、以下の説明ではパケット信号の宛先として示すＰ型受信機１０の制御部２２又は携帯電話端末１２の制御部６０を簡略化し、Ｐ型受信機１０又は携帯電話端末１２として説明する。また、Ｐ型受信機１０の制御部２２及び携帯電話端末１２の制御部６０には、パケット通信の宛先として使用する所定のネットワークアドレスを予め設定登録している。
【００６８】
（設定情報の処理操作）
図６（Ｂ）のメニュー画面９０には、データ設定釦９２と保守点検釦９４のメニュー釦を配置している。
【００６９】
メニュー画面９０のデータ設定釦９２を操作すると、図７（Ａ）のデータ設定画面９６に切り替わる。またデータ設定釦９２の操作に伴い携帯電話端末１２からＰ型受信機１０を宛先とする登録モード切替要求パケット信号を送信し、これを受信したＰ型受信機１０の制御部２２は通常監視状態における火災監視モードから登録モードへの切替えを行う。
【００７０】
登録モードに切替えた場合には、例えば受信機１０の盤前面に設けているスイッチ注意灯を点滅して登録モードに切り替わっていることを表示する。なお、Ｐ型受信機１０を登録モードに切り替える場合、作業者は受信機１０の盤前面に登録作業中であることを示す表示板をマグネット等で装着し、登録作業中であることを関係者が分かるようにする。
【００７１】
データ設定画面９６には火報回線釦９８、防排煙回線釦１００及び警報回線釦１０２を設けており、何れかの釦操作により登録、変更又は確認を行う回線種別を選択可能とする。
【００７２】
例えば火報回線釦９８を操作すると、携帯電話端末１２からＰ型受信機１０を宛先とする火報回線選択要求パケット信号が送信され、制御部２２が動作して図３（Ａ）に示した入力回線設定情報４６から回線番号Ｌ０１〜Ｌ１０の設定情報を読み出して携帯電話端末１２を宛先とする設定情報読出パケット信号を送信して画面表示させる。
【００７３】
そこで作業者は携帯電話端末１２に画面表示された火報回線の設定情報の中から例えば空き回線を検索し、空き回線の設定を解除することで新たな火報回線を登録する。また、蓄積解除を設定している例えば回線番号Ｌ０３について誤報が多発しているような場合には、蓄積設定を「蓄積解除」から「蓄積」に変更する操作を行う。このような回線設定情報の登録、変更、確認の操作は、防排煙回線及び警報回線についても同様に行うことができる。
【００７４】
設定情報の処理操作を完了して図６（Ａ）のメニュー画面９０に戻ると携帯電話端末１２からＰ型受信機１０を宛先とする登録モード解除パケット信号を送信し、これを受信してＰ型受信機１０の制御部２２は、それまでの登録モードを解除して火災監視モードに切り替わる。
【００７５】
（試験の処理操作）
図６（Ｂ）に示すメニュー画面９０の保守点検釦９４を操作すると、図７（Ｂ）の保守点検画面１０４に切り替わる。また保守点検釦９４の操作に伴い携帯電話端末１２からＰ型受信機１０を宛先とする保守点検モードへの切替要求パケット信号を送信し、これを受信したＰ型受信機１０の制御部２２は通常監視状態における火災監視モードから保守点検モードの切替えを行う。
【００７６】
保守点検モードへの切替中は、例えば受信機の盤前面に設けているスイッチ注意灯を点滅して保守点検モードに切り替わっていることを表示する。なお、Ｐ型受信機１０を登録モードに切り替える場合には、作業者は受信機の盤前面に保守点検作業中であることを示す表示板をマグネット等で装着し、保守点検作業中であることを関係者が分かるようにする。
【００７７】
保守点検画面１０４には個別試験釦１０６と自動試験釦１０８を設けている。個別試験釦１０６を操作すると図８の個別試験画面１１０に切り替わる。個別試験画面１１０には、火災受信試験釦１１２、操作部試験釦１１４、表示部試験釦１１６、警報部試験釦１１８及び移報部試験釦１２０を設けており、図２のＰ型受信機１０の制御部２２に対する操作指示により、制御部２２、表示部２８、操作部３０、警報部３２及び移報部３４に対する所定の試験動作を行う。
【００７８】
（火災受信試験）
火災受信試験釦１１２を操作すると携帯電話端末１２からＰ型受信機１０を宛先とする火災受信試験要求パケット信号を送信し、これを受信して制御部２２が動作し、火報回線Ｌ０１〜Ｌ１０に対応した回線受信部２４で火災信号が受信された状態を疑似的に生成し、表示部２８及び警報部３２を動作して火災警報を出力させる試験動作を順次行う。
【００７９】
（操作部試験）
また操作部試験釦１１４を操作すると、携帯電話端末１２からＰ型受信機１０を宛先とする操作部試験要求パケット信号を送信し、これを受信して制御部２２が動作し、図４（Ａ）に示した操作部設定情報５０に基づき、スイッチ操作を必要とする受信機の動作状態を生成すると共に、この動作状態に対するスイッチの操作指示パケット信号を、携帯電話端末１２を宛先として送信し、携帯電話端末１２の画面表示及び音声メッセージ出力により指示し、これに基づき作業者が指示されたＰ型受信機１０のスイッチを操作すると、スイッチ操作に基づく試験動作を行う。
【００８０】
例えば主音響停止スイッチの試験を行う場合には、制御部２２は警報部３２を動作して主音響警報を出力させると共に、主音響停止スイッチの操作指示を携帯電話端末１２に送信し、携帯電話端末１２の画面表示及び音声メッセージ出力により指示し、これに基づき作業者が指示されたＰ型受信機１０の主音響停止スイッチを操作すると、主音響を停止する試験動作を行う。このような試験制御は、各スイッチの機能に応じて個別に定めている。
【００８１】
（表示部試験）
また表示部試験釦１１６を操作すると、携帯電話端末１２からＰ型受信機１０を宛先とする表示部試験要求パケット信号を送信し、これを受信してＰ型受信機１０の制御部２２が動作し、図４（Ｂ）に示した表示部設定情報５２に基づき、各表示灯を順番に点灯及び又は点滅する試験表示を行う。
【００８２】
この試験表示に伴いＰ型受信機１０の制御部２２は表示灯の試験表示を行う毎に、この試験表示に対する確認要求パケット信号を携帯電話端末１２を宛先として送信し、携帯電話端末１２の画面表示及び音声メッセージにより確認を求める。これに対し作業者が受信機表示灯の試験表示を確認して携帯電話端末１２の確認画面操作を行うと、Ｐ型受信機１０を宛先とする確認応答パケット信号を携帯電話端末１２から送信し、この確応答パケット信号を受信したＰ型受信機１０の制御部２２は、現在の表示灯の試験表示を停止して次の表示灯の試験表示に移行する制御を繰り返す。これによりＰ型受信機１０に設けている全ての表示灯が正常に機能するか否かを確認可能とする。
【００８３】
（警報部試験）
また警報部試験釦１１８を操作すると、携帯電話端末１２からＰ型受信機１０を宛先とする警報部試験要求パケット信号を送信し、これを受信してＰ型受信機１０の制御部２２が動作し、警報部３２に設けたスピーカから予め準備されている警報音及び警報メッセージを所定の順番で出力させる試験動作を行う。
【００８４】
この警報試験に伴い制御部２２は警報出力を行う毎に、Ｐ型受信機１０から確認要求パケット信号を携帯電話端末１２を宛先として送信し、携帯電話端末１２の画面表示及び音声メッセージにより確認を求める。これに対し作業者が受信機の警報出力を確認して携帯電話端末１２の確認画面操作を行うと、携帯電話端末１２から確認応答パケット信号をＰ型受信機１０を宛先として送信し、この確認応答パケット信号を受信したＰ型受信機１０の制御部２２は次の警報出力に移行する制御を繰り返す。これによりＰ型受信機１０に設けている全ての警報出力が正常に機能するか否かを確認可能とする。
【００８５】
（移報部試験）
また移報部試験釦１２０を操作すると、携帯電話端末１２からＰ型受信機１０を宛先とする移報部試験要求パケット信号を送信し、これを受信してＰ型受信機１０の制御部２２が動作し、移報部３４から移報信号を出力する試験動作を行う。この移報試験に伴いＰ型受信機１０の制御部２２は移報出力を行う毎に、携帯電話端末１２を宛先とする確認要求パケット信号を送信し、画面表示及び音声メッセージにより確認を求める。これに対し作業者が移報出力による外部機器の動作を確認して携帯電話端末１２の確認画面操作を行うと、携帯電話端末１２からＰ型受信機１０を宛先とする確認応答パケット信号を送信し、この確認応答パケット信号を受信したＰ型受信機１０の制御部２２は現在の移報出力を停止して次の移報出力に移行する制御を繰り返す。これによりＰ型受信機１０に設けている全ての移報出力が正常に機能するか否かを確認可能とする。
【００８６】
（自動試験）
図７（Ｂ）の保守点検画面１０４に設けた自動試験釦１０８を操作すると、Ｐ型受信機１０の自動試験を行う。この自動試験は、図８の個別試験画面１１０による火災受信試験、操作部試験、表示部試験、警報部試験及び移報部試験を連続して行う試験となる。
【００８７】
なお、上記に示した携帯電話端末１２からの指示によるＰ型受信機１０の試験処理は一例であり、必要に応じて適宜の試験パターンを準備して動作させることができる。
【００８８】
また、保守点検の際には、作業者が監視領域に設置しているオンオフ感知器を試験治具により発報させて受信動作を確認する試験を行うが、この感知器発報試験についても、例えばＰ型受信機１０から回線発報の受信結果を携帯電話端末１２に送信して表示するような使い方を可能とする。
【００８９】
［携帯電話端末の受信機遠隔処理］
図９は携帯電話端末による遠隔制御を示したフローチャートであり、図５の携帯電話端末１２に設けた制御部６０による制御となる。
【００９０】
図９に示すように、ステップＳ１（以下「ステップ」は省略）で図６に示した携帯電話端末１２の認証画面８５を使用してユーザＩＤ及びパスワードを入力してＰ型受信機１０に認証要求を行って認証に成功すると、制御部２２のＵＳＢポート３６に接続している無線ＬＡＮアダプタ３８を経由して携帯電話端末１２とＰ型受信機１０との間に通信接続が確立される。
【００９１】
続いてＳ２に進み、図６（Ｂ）に示したようにメニュー画面９０を表示する。続いてＳ３でメニュー画面によるデータ設定のメニュー選択を判別するとＳ４に進み、Ｐ型受信機１０へ登録モードへの切替えを指示し、Ｓ５でＰ型受信機１０から送信されてきた火報回線や防排煙回線等の設定情報を表示し、必要な設定情報の登録、変更及び又は確認を行う。Ｓ６で情報設定の終了を判別すると、Ｐ型受信機１０に登録モードの解除を指示してＳ７に進む。
【００９２】
Ｓ７でメニュー画面による試験メニューの選択を判別するとＳ８に進み、Ｐ型受信機１０へ保守点検モードへの切替えを指示し、Ｓ９でＰ型受信機１０に個別試験又は自動試験を指示して所定の試験動作を行わせる。Ｓ１０で試験終了を判別すると、Ｐ型受信機１０に保守点検モードの解除を指示してＳ１１に進み、その他のメニュー選択があれば、その処理を行い、Ｓ１２で終了操作を判別するまでＳ２からの処理を繰り返す。
【００９３】
［受信機制御処理］
図１０はＰ型受信機の制御処理を示したフローチャートであり、Ｐ型受信機１０に設けた制御部２２による制御となる。
【００９４】
図１０に示すように、ステップＳ２１で電源投入に伴う所定の初期化処理を行った後、Ｓ２２に進んで火災監視モードを設定して火災監視制御を行う。火災監視制御では感知器からの火災信号を受信して火災警報を出力する。監視モードによる火災監視制御中にＳ２３でＵＳＢポート３６に接続した無線ＬＡＮアダプタ３８を経由した携帯電話端末１２による通信接続要求を判別するとＳ２４に進み、携帯電話端末１２からの送信されたユーザＩＤとパスワードによる認証処理を行い、認証に成功すると携帯電話端末１２との通信接続を確立する。
【００９５】
続いてＳ２５で携帯電話端末１２からのパケット信号による登録モードへの切替指示を判別するとＳ２６に進み、それまでの火災監視モードを解除して登録モードに切り替える。続いてＳ２７で携帯電話端末１２からのパケット信号による設定情報の登録、変更、確認等の指示に基づく処理を実行し、Ｓ２８で実行結果を必要に応じて携帯電話端末１２に送信し、Ｓ２９で携帯電話端末１２からのパケット信号により登録モード解除指示を判別するまでＳ２７からの処理を繰り返す。Ｓ２９で登録モード解除指示を判別するとＳ３０で登録モードを解除して火災監視モードに切替える。
【００９６】
続いてＳ３１で携帯電話端末１２からのパケット信号による保守点検モードへの切替指示を判別するとＳ３２に進み、携帯電話端末１２からのパケット信号による試験指示に基づき試験動作を実行し、Ｓ３３で実行結果を必要に応じて携帯電話端末１２に送信し、Ｓ３４で携帯電話端末１２からのパケット信号により保守点検モード解除指示を判別するまでＳ３２からの処理を繰り返す。Ｓ３４で保守点検モード解除指示を判別するとＳ３５で登録モードを解除して火災監視モードに切替え、Ｓ２２の処理に戻る。
【００９７】
［Ｒ型受信機を用いた防災監視設備］
（防災監視設備の概要）
図１１はＲ型受信機を設けた防災監視設備の概略を示した説明図である。図１１に示すように、Ｒ型受信機１５０は建物の防災センタや管理人室等に設置されており、Ｒ型受信機１５０から監視領域に対し伝送回線ＳＬ１〜ＳＬ１０を引き出している。伝送回線ＳＬ１〜ＳＬ１０は例えば一対の信号線と一対の電源線で構成している。
【００９８】
伝送回線ＳＬ１〜ＳＬ１０には、伝送回線ＳＬ１に代表して示すように、複数のアナログ感知器１５２を接続すると共に、地区音響用中継器１５４を介して地区音響装置１５５を接続し、また火報用中継器１５６から引き出した火報回線Ｌ１にオンオフ感知器１４および発信機等を接続している。また伝送回線ＳＬ１０に代表して示すように、防排煙用中継器１５８を介して防火戸１６０や排煙ダクトに設けたダンパ１６２を接続し、更に、中継器機能を備えたアドレッサブル発信機１６４を接続している。ここで火報用中継器１５６は火報回線を４回線引き出すことができ、また防排煙用中継器１５８は防排煙機器を４台接続可能としている。
【００９９】
伝送回線ＳＬ１〜ＳＬ１０は１回線当り例えば１２８アドレスを割り当てることができ、このため１回線当り最大１２８台の端末機器を接続することができる。例えば伝送回線ＳＬ１に接続しているアナログ感知器１４、地区音響用中継器１５４、火報用中継器１５６には、それぞれに固有のアドレスが設定される。
【０１００】
またＲ型受信機１５０には無線ＬＡＮアダプタが内蔵されており、そのアンテナ１８２と関係者が保有しているスマートフォンとして知られた携帯電話端末１２との間で無線ＬＡＮ回線による通信接続を可能としている。
【０１０１】
（Ｒ型受信機の機能構成）
図１２はＲ型受信機の機能構成の概略を示したブロック図である。図１２に示すように、Ｒ型受信機１５０は、制御部１６６を備え、制御部１６６は、ＣＰＵ、メモリ、各種の入出力ポートを備えたコンピュータ回路で構成している。制御部１６６に対しては、伝送部１６８、表示部１７０、操作部１７２、警報部１７４、移報部１７６を設け、更に、制御部１６６は汎用シリアルバスポートとなるＵＳＢポート１７８を備え、ＵＳＢポート１７８にアンテナ１８２を備えた無線ＬＡＮアダプタ１８０をコネクタ接続している。
【０１０２】
伝送部１６８は伝送回線ＳＬ１〜ＳＬ１０に対応して設けており、端末機器として接続したアナログ感知器１５２や各種中継器との間でアドレスを指定した所定のコマンドやデータの伝送を行う。
【０１０３】
表示部１７０、操作部１７２、警報部１７４、移報部１７６は、図２に示したＰ型受信機１０に設けた表示部２８、操作部３０、警報部３２、移報部３４と基本的に同じになる。
【０１０４】
制御部１６６の基板に実装したＣＰＵからはＵＳＢとして知られた汎用シリアルバス（Ｕｎｉｖｅｒｓａｌ  Ｓｅｒｉａｌ  Ｂｕｓ）が引き出され、この汎用シリアルバスにＵＳＢポートコネクタによるＵＳＢポート１７８を１又は複数設けており、その内の１つに無線ＬＡＮアダプタ１８０を接続している。
【０１０５】
このように制御部１６６のＵＳＢポート１７８に無線ＬＡＮ通信アダプタ１８０を接続することで、Ｒ型受信機１５０の外部機器となる無線ＬＡＮ通信機能を備えた例えば携帯電話端末１２との通信接続を可能とする。
【０１０６】
制御部１６６は、伝送回線単位に例えば１分周期で一括ＡＤ変換コマンドを送信してアナログ感知器１５２などの検知用端末機器で検出信号のＡＤ変換を行わせて検出データを保持させ、続いて端末機器のアドレスを順次指定したポーリングコマンドを送信して検出データを応答送信させ、受信した検出データから例えば火災を判断している。
【０１０７】
またアナログ感知器１５２や火報用中継器１５６で火災を検知した場合は割込み信号をＲ型受信機１５０に送信する。この割込み信号に対し制御部１６６は、検索コマンドを送信して火災を検出して割込信号を送信した検知用端末機器を特定し、端末アドレスで特定される地区を示す火災警報を出力する。
【０１０８】
また制御部１６６は、火災検知に伴う防排煙制御や地区音響鳴動について、対象とする制御用端末機器を特定するアドレスを指定した制御コマンドを送信して必要とする端末制御を行う。
【０１０９】
（受信機の端末機器設定情報）
図１３はＲ型受信機１５０のメモリに登録している端末機器設定情報を示した説明図である。
【０１１０】
図１３において、端末機器設定情報１８８は、Ｒ型受信機１５０の製造段階で対象となる防災監視設備の構成に基づき設計支援コンピュータシステム等を使用して例えばエクセルシートとして作成し、専用のデータ設定装置を使用してＲ型受信機１５０の制御部１６６に設けたメモリに格納している。
【０１１１】
端末機器設定情報１８８は、回線系統毎に分けてアドレス、種別、状態、地区等の項目で構成し、図１１に示した伝送回線ＳＬ１〜ＳＬ１０に接続した端末機器の情報を設定している。ここで、機器状態の項目については、「正常」と「障害」を示しているが、これ以外に例えばアドレス００１のアナログ火災感知器による火災検知を判別した場合は「火災」が状態として書き込まれ、この機器状態に応じた受信機制御が制御部１６６により行われる。
【０１１２】
このため携帯電話端末１２の処理操作による受信機試験の際に、外部から端末機器設定情報１８８の対応する機器状態に試験のために「火災」を書き込むことが可能であり、これにより疑似的な火災検知を生成して受信機の対応する試験動作を可能とする。
【０１１３】
またＲ型受信機１５０に設けた制御部１６６のメモリには表示部設定情報や表示部設定情報を登録しているが、これは図４に示したＰ型受信機１０の操作部設定情報５０及び表示部設定情報５２と基本的に同じになる。
【０１１４】
（携帯電話端末の受信機遠隔処理）
図１２のＲ型受信機１５０の遠隔的な処理操作に使用する携帯電話端末１２の構成及び機能は図５乃至図９に示したＰ型受信機１０の場合と基本的に同じになる。また、図１２のＲ型受信機１５０の制御部１６６による携帯電話端末１２からの指示に基づく制御も、Ｒ型受信機１５０に固有な図１３に示した端末機器設定情報１８８を登録、変更、確認の際に使用する場合を除き、図２のＰ型受信機１０の制御部２２と基本的に同じになる。
【０１１５】
図１２を参照して携帯電話端末１２によるＲ型受信機１５０の遠隔的な処理操作を説明すると次のようになる。
【０１１６】
図６に示した携帯電話端末１２の認証画面８５を使用してユーザＩＤ及びパスワードを入力してＰ型受信機１０に認証要求のパケット信号を送信して認証に成功すると、制御部１６６のＵＳＢポート１７８に接続している無線ＬＡＮアダプタ１８０を経由して携帯電話端末１２とＲ型受信機１５０との間に通信接続が確立される。
【０１１７】
続いて図６（Ｂ）に示す携帯電話端末１２のメニュー画面９０からデータ設定メニューを選択するとＲ型受信機１５０へのパケット信号送信により登録モードへの切替えを指示し、Ｒ型受信機１５０から送信されてきた図１３に示す対象回線系統の端末機器設定情報を表示し、必要な設定情報の登録、変更及び又は確認を行う。携帯電話端末１２で情報設定の終了操作を行うと、Ｒ型受信機１５０にパケット信号を送信して登録モード解除を指示し、Ｒ型受信機１５０は登録モードを解除して火災監視モードに切り替わる。
【０１１８】
また、携帯電話端末１２のメニュー画面で試験メニューを選択すると、Ｒ型受信機１５０へのパケット信号送信により保守点検モードへの切替えを指示し、Ｒ型受信機１５０に個別試験又は自動試験を指示して所定の試験動作を行わせる。携帯電話端末１２で試験終了操作を行うと、Ｒ型受信機１５０に保守点検モードの解除を指示し、Ｒ型受信機１５０は保守点検モードを解除して火災監視モードに切り替わる。
【０１１９】
［本発明の変形例］
（携帯電話端末）
上記の実施形態は、携帯端末としてスマートフォン等の携帯電話端末から受信機に処理操作を指示する場合を例にとっているが、携帯電話端末に代え、無線ＬＡＮ通信機能を備えたタブレット等の電話機能を持たない携帯端末機器としても良い。
【０１２０】
（入出力ポート）
上記の実施形態は、受信機の制御部に設ける入出力ポートとしてＵＳＢポートを例にとっているが、これ以外に例えばＲＳ２３２シリアルポートなど適宜の入出力ポートを含む。
【０１２１】
（受信機の操作処理）
上記の実施形態は、携帯電話端末による受信機の設定情報の登録、変更、確認を行う処理操作と、受信機試験を行う処理操作を例にとっているが、これ以外に、受信機の運用維持や保守点検に必要な適宜の処理操作を行うことを可能とする。
【０１２２】
（異常監視）
また、上記の実施形態は火災を監視する防災監視設備を例にとるものであったが、火災以外にガス漏れや盗難などの適宜の異常を検知して警報する防災監視設備についても同様に適用できる。
【０１２３】
（その他）
また、本発明は上記の実施形態に限定されず、その目的と利点を損なうことのない適宜の変形を含み、更に上記の実施形態に示した数値による限定は受けない。
【符号の説明】
【０１２４】
１０：Ｐ型受信機
１２：携帯電話端末
１４：オンオフ感知器
１６：発信機
１８：防排煙用感知器
２０：防火戸
２２，１６６：制御部
２４：回線受信部
２６：回線制御部
２８，１７０：表示部
３０，１７２：操作部
３２，１７４：警報部
３４，１７６：移報部
３６，１７８：ＵＳＢポート
３８，１８０：無線ＬＡＮアダプタ
６２：携帯電話通信部
６４：無線ＬＡＮ通信部
１５０：Ｒ型受信機
１５２：アナログ感知器
１５４：地区音響用中継器
１５５：地区音響装置
１５６：火報用中継器
１５８：防排煙用中継器
１６８：伝送部
【図１】
2018173988.tif 000003
【図２】
2018173988.tif 000004
【図３】
2018173988.tif 000005
【図４】
2018173988.tif 000006
【図５】
2018173988.tif 000007
【図６】
2018173988.tif 000008
【図７】
2018173988.tif 000009
【図８】
2018173988.tif 000010
【図９】
2018173988.tif 000011
【図１０】
2018173988.tif 000012
【図１１】
2018173988.tif 000013
【図１２】
2018173988.tif 000014
【図１３】
2018173988.tif 000015